(57)【要約】【課題】棚部材を格納する際、極めて簡単に、しかも操作し忘れることなく棚部材を立設状態に保持でき、また、棚部材の転倒を確実に防止することが可能な搬送用容器を提供する。【解決手段】被搬送物が収容される収容空間を形成し、前面に被搬送物を出し入れするための開口部２５を有する容器本体１３と、容器本体１３内に配設され、収容空間を上下に区画することが可能な棚部材３１と、棚部材３１が、水平方向に横架される使用位置と、収容空間の後部側で立設される跳上位置との間で回動するように、棚部材３１の後端側を軸として棚部材３１を回動可能に支持する回転軸部材５６と、立設された棚部材３１を、跳上位置と、その跳上位置よりも低い格納位置との間で、垂直方向に案内する長孔部５７と、格納位置における棚部材３１の回動を規制する前側当接片５８とを具備する。【選択図】図３
2013060778.tif 000002
【特許請求の範囲】
【請求項１】
被搬送物が収容される収容空間を形成し、前面の少なくとも一部に前記被搬送物を出し入れするための開口部を有する容器本体と、
該容器本体内に配設され、前記収容空間を上下に区画することが可能な棚部材と、
該棚部材が、横架されて使用される使用位置と、前記収容空間の後部側へ跳ね上げられて立設される跳上位置との間で回動するように、前記棚部材の後端側を軸として前記棚部材を回動可能に支持する回動支持部と、
立設された前記棚部材を、前記跳上位置と、該跳上位置よりも低い格納位置との間で、垂直方向に案内する昇降ガイド部と、
前記格納位置における前記棚部材の回動を規制する回動規制部と
を具備することを特徴とする搬送用容器。
【請求項２】
前記容器本体の内面に取着され、前記棚部材の後端側左右両側面に対向する一対の支持金具をさらに備え、
前記回動支持部は、それぞれの前記支持金具に設けられ、前記棚部材の前記後端側左右両側面を外側から貫通する一対の回転軸部材からなり、
前記昇降ガイド部は、前記棚部材の前記後端側左右両側面に設けられ、前記回転軸部材が挿通されるとともに、前記使用位置の際、前方に向かって延出される横長の長孔部からなり、
前記回動規制部は、前記支持金具に形成され、前記棚部材が前記格納位置の際、前記棚部材を挟むように前記棚部材の上面及び底面にそれぞれ当接する一対の当接片からなる
ことを特徴とする請求項１に記載の搬送用容器。
【請求項３】
前記支持金具は、前記棚部材の後面に当接することで、前記棚部材が前記使用位置から後方へ移動することを規制するストッパー片をさらに備える
ことを特徴とする請求項２に記載の搬送用容器。
【請求項４】
前記容器本体の右側面または左側面のいずれか一方の面に、前記被搬送物の出し入れが可能な側面側開口部をさらに有する
ことを特徴とする請求項１乃至請求項３のいずれかに記載の搬送用容器。
【発明の詳細な説明】
【技術分野】
【０００１】
本発明は、搬送用容器に関し、特に、建築現場で建築部材等を上げ下ろす際に用いられる搬送用容器に関するものである。
【背景技術】
【０００２】
例えば建築現場では、高所の足場と地上との間で、建築部材を上げ下ろす作業が一般的に行われているが、この作業の省力化を図るため、例えば特許文献１に示すようなリフト（荷上装置）が提案されている。このリフトは、足場用パイプに固定され垂設された一対のガイドレールと、ガイドレールに沿って移動可能なカゴ形の容器と、足場の上方に配置され、チェーンを介して容器を吊り下げるとともに電動力によって容器を昇降させるチェーンブロックとを備えるものである。つまり、チェーンブロックのチェーンを巻き上げまたは巻き下げることにより、容器に収容された建築部材を上げ下げするものである。
【０００３】
ところで、容器に収容される建築部材には、建築資材、器材、または足場の構成部材等が含まれるが、これらの大きさは一様でなく、小物もあれば、横幅が大きいもの、または長尺のものもあるため、容器のサイズとしては、一番大きな建築部材でも収容できる大きさとすることが好ましい。一方で、このような大きなサイズの容器を用いて、比較的小さな建築部材または厚みの薄い建築部材を複数個搬送する場合には、容器の中に積み重ねて収容することとなるが、数多く積み重ねたり、異なる部材同士を積み重ねたりすると、容器の中が煩雑となり、必要な建築部材を速やかに取出すことが困難となる。
【０００４】
そこで、容器の中に平板状の棚部材を設け、収容空間を上下に区画するとともに、棚部材が水平方向に横架される使用位置（展開状態）と、収容空間の後部側で立設される格納位置（折畳み状態）との間で回動するように、棚部材の後端側を回転軸として棚部材を回動可能に支持する構成が提案されている。これによれば、収容される全ての建築部材が、上下に区画されたそれぞれの収容空間よりも小さな場合（すなわち収容可能な場合）には、棚部材を使用位置（展開状態）とすることで複数の建築部材を整った状態で収容することが可能となり、一方、長尺物など区画された収容空間では収まりきらない場合には、棚部材を格納位置に折畳むことで全体の収容空間を用いた収容が可能となる。
【発明の概要】
【発明が解決しようとする課題】
【０００５】
しかし、上記の容器によれば、棚部材が格納位置に達すると、棚部材は、その重心が回転軸よりも上方に位置するため、不安定な状態となり、例えば、搬送途中で振動が発生した場合、または建築部材を出し入れする際に棚部材に力が加わった場合には、前向きに倒れる可能性があり、これによれば、建築部材を前側（開口部側）に押し出したり傷つけたりするおそれがある。
【０００６】
なお、この不具合を解消する手段として、棚部材の先端部分（格納位置では上端部分）にフックを設け、格納された際、フックを、容器本体に設けた係止部に係止させる構成を想定することができる。しかし、この構成によれば、建築部材を取り出す際、建築部材がフックに引っ掛かかり、フックが係止部から外れるおそれがあり、ひいては棚部材の転倒が懸念される。
【０００７】
また、建築部材が引っ掛かっても外れないように、フックの代わりに複雑なロック装置を備えることも想定できるが、これによれば、製造コストが増加するとともに、施錠操作及び開錠操作に手間がかかり作業者の負担が大きくなってしまうという問題が生じる。
【０００８】
さらに、フックの場合もロック装置の場合も、棚部材を格納位置まで回動させた後に、棚部材の転倒を防止するための操作（具体的にはフックを係止部に係止する操作、またはロック装置の施錠操作）を別途行わなければならず、面倒であるとともに、これらの操作をし忘れるおそれもある。
【０００９】
そこで、本発明は、上記の実状に鑑み、棚部材を格納する際、極めて簡単に、しかも操作し忘れることなく棚部材を立設状態に保持でき、また、棚部材の転倒を確実に防止することが可能な搬送用容器を提供することを課題とするものである。
【課題を解決するための手段】
【００１０】
本発明にかかる搬送用容器は、
「被搬送物が収容される収容空間を形成し、前面の少なくとも一部に前記被搬送物を出し入れするための開口部を有する容器本体と、
該容器本体内に配設され、前記収容空間を上下に区画することが可能な棚部材と、
該棚部材が、横架されて使用される使用位置と、前記収容空間の後部側へ跳ね上げられて立設される跳上位置との間で回動するように、前記棚部材の後端側を軸として前記棚部材を回動可能に支持する回動支持部と、
立設された前記棚部材を、前記跳上位置と、該跳上位置よりも低い格納位置との間で、垂直方向に案内する昇降ガイド部と、
前記格納位置における前記棚部材の回動を規制する回動規制部と
を具備する」
ことを特徴とするものである。
【００１１】
ここで、「被搬送物」としては、資材または器材等の建築部材を例示することができるが、建築部材とは無関係のものを被搬送物とすることも可能である。つまり、「搬送用容器」は、建築現場以外でも使用可能なものである。
【００１２】
また、「容器本体」は、カゴ状の構造（網状部材からなる構造）としてもよく、箱状の構造（板状部材からなる構造）としてもよい。また同様に、「棚部材」も、網状部材で形成してもよく板状部材で形成してもよい。さらに、「棚部材」の枚数は一枚のみでもよいが、複数枚の棚部材を上下方向に並設してもよい。また、「棚部材」の奥行方向の長さは、収容空間の前後方向の寸法と略一致する大きさとしてもよいが、前後方向の寸法よりも短くしてもよい。つまり、「棚部材」によって収容空間全体が上下に区画されるようにしてもよく、収容空間の一部（例えば後側部分）のみが上下に区画されるようにしてもよい。
【００１３】
また、「開口部」は、容器本体の前面にのみ備えるようにしてもよいが、上面や左右の側面にも備えるようにしてもよい。また、「開口部」は常に開放されていてもよいが、開口部を閉鎖する扉体を備え、開閉可能に構成してもよい。
【００１４】
また、「回動支持部」としては、例えば棚部材または容器本体のいすれか一方から突出する回転軸と、いずれか他方に設けられ回転軸が嵌挿される軸受孔とから構成することができる。また、「昇降ガイド部」としては、回転軸の相対的な移動方向を垂直方向に案内する長孔部から構成することができる。
【００１５】
本発明の搬送用容器によれば、水平方向に横架された棚部材（使用位置の棚部材）を格納する場合には、棚部材を後側に跳ね上げる。すると、棚部材は後端側を軸とし跳上位置に向かって回動する。跳上位置に達すると、収容空間の後部側で立設した状態となる。また、跳上位置に達した棚部材は、昇降ガイド部によって案内され、立設されたまま、跳上位置よりも低い格納位置へ落とし込まれる。つまり、棚部材の自重によって跳上位置から格納位置に自然に移動する。そして格納位置に達した棚部材は、回動規制部によって回動が規制され、立設した状態で保持される。
【００１６】
一方、格納された棚部材を使用（展開）する場合には、立設された棚部材を格納位置から跳上位置まで持ち上げる。すると、棚部材は回動規制部による規制を受けなくなり、使用位置に向かって前側に回動させることが可能になる。そして、使用位置に達すると、水平方向に横架された状態となり、棚部材の上に被搬送物を載置することが可能となる。
【００１７】
このように、棚部材を格納する場合には、跳ね上げた棚部材を自重によって格納位置に落とし込むだけで、棚部材の回動が規制されるため、作業者の手を煩わせることなく、また、操作し忘れることなく、棚部材を立設状態で保持することができる。特に、格納位置に格納された棚部材は、跳上位置まで持ち上げなければ回動しないため、被搬送物を出し入れする際に被搬送物が棚部材に引っ掛かっても、棚部材の転倒を確実に防止することができる。また、棚部材を使用する場合には、棚部材を持ち上げるだけで回動可能となるため、極めて簡単な操作で保持状態を解除することができ、作業者の負担を大幅に軽減できる。
【００１８】
本発明の搬送用容器において、
「前記容器本体の内面に取着され、前記棚部材の後端側左右両側面に対向する一対の支持金具をさらに備え、
前記回動支持部は、それぞれの前記支持金具に設けられ、前記棚部材の前記後端側左右両側面を外側から貫通する一対の回転軸部材からなり、
前記昇降ガイド部は、前記棚部材の前記後端側左右両側面に設けられ、前記回転軸部材が挿通されるとともに、前記使用位置の際、前方に向かって延出される横長の長孔部からなり、
前記回動規制部は、前記支持金具に形成され、前記棚部材が前記格納位置の際、前記棚部材を挟むように前記棚部材の上面及び底面にそれぞれ当接する一対の当接片からなる」
構成とすることができる。
【００１９】
これによれば、棚部材の後端側左右両側面（以下、「後側両面」という）に対向する容器本体の内面に一対の支持金具が取着されており、その支持金具に設けられた一対の回転軸部材が棚部材の後側両面に外側から貫通することで、棚部材が回動可能に支持されている。また、回転軸部材が貫通する棚部材の孔は、長孔部からなり、後側両面に穿設されるとともに、使用位置の際、前方に向かって延出されている。つまり、使用位置では、回転軸が長孔部の後端部に位置している。このため、棚部材を使用位置から跳上位置に向かって回動させると、長孔部も回転軸部材を中心に旋回し、跳上位置では、回転軸部材が、長孔部の下端部に位置する。したがって、長孔部の上端（使用位置では前端）が回転軸部材に当接するまで、棚部材を下方に移動させることが可能になる。つまり、回転軸部材と長孔部との協働により、棚部材を跳上位置から格納位置に移動させることが可能となる。そして、長孔部の上端が回転軸部材に当接すると（格納位置に達すると）、棚部材をそれ以上降下させることができなくなり、棚部材における垂直方向の移動が規制される。
【００２０】
また、支持金具には、棚部材が格納位置の際に、棚部材の上面及び底面にそれぞれ当接可能な一対の当接片が形成されており、これにより棚部材の回動が規制されている。特に、一対の当接片は棚部材を挟むように配置されているため、棚部材の前方への回動だけでなく、後方への回動も阻止され、格納位置における棚部材のガタツキを防止することが可能である。
【００２１】
このように、回転軸部材が挿入される長孔部によって昇降ガイド部が構成され、また、回転軸部材が設けられた支持金具によって回動規制部が構成されているため、極めてシンプルな構成となり、安価に製造することができる。
【００２２】
また、上記の搬送用容器においては、
「前記支持金具は、前記棚部材の後面に当接することで、前記棚部材が前記使用位置から後方へ移動することを規制するストッパー片をさらに備える」
構成とすることが好ましい。
【００２３】
ところで、上記のように、棚部材の後側両面に長孔部を設け、使用位置のとき、回転軸部材が長孔部の後端部に位置するように構成した場合には、使用位置の棚部材が後方に向かって移動したり、搬送中に棚部材が前後方向に移動し、被搬送物を安定して載置させることが困難となるおそれがある。
【００２４】
これに対し、本発明では、支持金具にストッパー片が形成され、棚部材の後面に当接するようになっているため、棚部材が使用位置から後方へ移動すること、すなわち前後方向に動くことが規制される。したがって、被搬送物を棚部材に安定して載置させることが可能となる。
【００２５】
また、本発明の搬送用容器において、
「前記容器本体の右側面または左側面のいずれか一方の面に、前記被搬送物の出し入れが可能な側面側開口部をさらに有する」
構成とすることができる。
【００２６】
これによれば、容器本体には、前面の開口部に加え、右側面または左側面のいずれか一方の側面にも開口部（側面側開口部）が形成されている。このため、例えば、本発明の搬送用容器を、建築現場におけるリフトの容器として使用した場合には、前面側の開口部を、足場において建築部材（被搬送物）を出し入れするための開口部として用い、側面側開口部を、地上において建築部材を出し入れするための開口部として用いることが可能となる。つまり、足場及び地上（足場がない部分）では建築部材を出し入れする方向が互いに異なるが、このように開口部を前面及び側面にそれぞれ設けることで、搬送容器を旋回させることなく建築部材を出し入れすることができ、作業性及び安全性を高めることができる。また、側面側開口部が設けられた面は、容器本体の背面側ではないため、棚部材が格納位置に格納された場合でも、棚部材によって塞がれず、建築部材を出し入れすることが可能である。
【発明の効果】
【００２７】
このように、本発明によれば、棚部材を格納する際、極めて簡単に、しかも操作し忘れることなく棚部材を立設状態に保持することができる。また、格納位置における棚部材の転倒を確実に防止することができる。さらに、棚部材を使用する場合には、極めて簡単な操作で保持状態を解除することができる。
【図面の簡単な説明】
【００２８】
【図１】本実施形態の搬送用容器を用いたリフトの構成を示す側面図である。
【図２】搬送用容器を斜め前から見た斜視図である。
【図３】（ａ）は、搬送用容器の棚部材を展開した状態を示す主要部の斜視図であり、（ｂ）は、搬送用容器の棚部材を跳ね上げた状態を示す主要部の斜視図である。
【図４】棚部材の格納動作を示す説明図である。
【発明を実施するための形態】
【００２９】
以下、本発明の実施形態である搬送用容器１について図１乃至図４に基づき説明する。また、搬送用容器１の説明に先立ち、搬送用容器１が適用されるリフト２の構成について説明する。なお、本実施形態に記載された「右」及び「左」は、足場側から搬送用容器１を見た場合の方向である。
【００３０】
図１に示すように、リフト２は、地上（図示しない）と高所の足場３との間で、建築部材等の被搬送物（図示しない）を上げ下ろす装置であり、鉛直方向に配設された足場用パイプ４に固定される一本のレールパイプ５と、レールパイプ５に沿って移動可能な搬送用容器１と、搬送用容器１をレールパイプ５に対し鉛直方向に摺動可能に支持する上部レールガイド６及び下部レールガイド７とを備えている。また、リフト２は、レールパイプ５の上部に取着されたハンガー９と、ハンガー９に取付けられたチェーンブロック１０とを備えており、チェーンブロック１０のチェーン１１の先端が、上部レールガイド６と一体的に構成された吊下支持部８に接続されている。つまり、搬送用容器１は、１本のレールパイプ５に上下一対のレールガイド６，７を介して接続されており、電動力によりチェーンブロック１０のチェーン１１を巻き上げたり巻き下げたりすることにより、搬送用容器１に収容された被搬送物を上げ下げすることが可能になっている。
【００３１】
続いて、搬送用容器１の構成について、図２及び図３に基づき説明する。なお、図３は、説明の便宜上、搬送用容器１から前面扉２７及び側面扉２８を取外した状態を示している。図２に示すように、搬送用容器１は、全体が略直方体形状である籠形の容器本体１３を有しており、容器本体１３は、横幅が奥行よりも大きくなるように平面視長方形状に形成されている。この容器本体１３は、金属製のパイプで形成された四本の支柱１４（すなわち右前支柱１５，左前支柱１６，右後支柱１７，及び左後支柱１８）と、それらの支柱１４の間に掛け渡された複数枚の網状部材（後述する）とによって構成されており、内部に被搬送物が収容される収容空間Ｓが形成されている。なお、左前支柱１６の側面には、搬送用容器１を上部レールガイド６（図１参照）及び下部レールガイド７に連結するために、上下一対の連結部１９が設けられている。
【００３２】
また、搬送用容器１は、容器本体１３の収容空間Ｓを上下に区画することが可能な棚部材３１を備えるとともに、棚部材３１の下方に中央空間部２２を有することにより、上段の上部籠部２０と、下段の下部籠部２１とを備える形態となっている。つまり、棚部材３１は、上部籠部２０の底板として機能しており、被搬送物を、上部籠部２０及び下部籠部２１に振り分けて収容させることが可能となっている。
【００３３】
上部籠部２０について詳細に説明する。上部籠部２０は、上面が開放されるとともに、足場３において被搬送物を出し入れするための開口部２５（図３参照）が前面に設けられ、地上において被搬送物を出し入れするための右側開口部２６（図３参照）が右側面に設けられている。なお、前面の開口部２５は、網状の前面扉２７によって閉鎖され、右側開口部２６は側面扉２８によって閉鎖されている。また、上部籠部２０における、右後支柱１７及び左後支柱１８の間には、網状の背面部材２９が固定状態に設けられ、左前支柱１６及び左後支柱１８の間には、網状の側面部材３０が固定状態に設けられている。ここで、右側開口部２６が本発明の側面側開口部に相当する。
【００３４】
前面扉２７は、右端部にＬ字形の軸部４２を上下に一対備えており、右前支柱１５の側面に固定された上下一対の軸受部４１にそれぞれ上方から嵌合させることで、軸部４２を中心に回動させることが可能になっている。なお、前面扉２７を持ち上げることにより、軸部４２を軸受部４１から引抜き、前面扉２７を搬送用容器１から取外すことも可能である（図３参照）。また、前面扉２７の左端部には、貫木（かんぬき）４３が設けられており、左前支柱１６に対し係合させることで、前面扉２７を閉状態に保持できるようになっている。また、前面扉２７の高さは、上部籠部２０の高さよりも低くなっている。これは、例えば、搬送用容器１が足場３の高さよりも多少高い位置で停止した場合でも、前面扉２７が上の階の足場３に干渉する可能性を少なくするためである。
【００３５】
側面扉２８は、前面扉２７と同じように、Ｌ字形の軸部４５を前端部に備えており、右前支柱１５の側面に固定された軸受部４４にそれぞれ上方から嵌合させることで、軸部４５を中心に回動させることが可能になっている。なお、側面扉２８も搬送用容器１から取外すことも可能である（図３参照）。また、側面扉２８の後端部には、貫木４６が設けられており、右後支柱１７に対し係合させることで、側面扉２８が閉状態に保持されるようになっている。
【００３６】
一方、棚部材３１は、図３に示すように、金属製の網状部５０と、網状部５０の周囲を囲む四角形のフレーム５１と、網状部５０の底面に掛け渡された十字形の補強部材５２とから構成されている。棚部材３１の横幅は、背面部材２９の横幅よりもわずかに短いが、棚部材３１の奥行は、側面部材３０の奥行よりも長くなっており、棚部材３１の先端部分が右前支柱１５及び左前支柱１６に交わるように配置されている。
【００３７】
また、棚部材３１は、前側支持部５３及び後側支持部５４によって支持されており、図３（ａ）に示すように展開した場合には、水平方向に横架され、図３（ｂ）示すように跳ね上げた場合には、垂直方向に立設されるようになっている。詳しく説明すると、前側支持部５３は、右前支柱１５及び左前支柱１６の側面（互いに対向する面）に設けられており、金属製の板材を「く」の字形に折り曲げて形成されている。
【００３８】
後側支持部５４は、右後支柱１７及び左後支柱１８の側面にそれぞれ取着され、棚部材３１の後端側左右両側面と対向する一対の支持金具５５と、それぞれの支持金具５５から内側に延設され棚部材３１のフレーム５１に外側から貫通する回転軸部材５６と、フレーム５１に穿設され回転軸部材５６が挿通される横長の長孔部５７とから構成されている。特に、長孔部５７は、回転軸部材５６から前方に延出されるように、換言すれば回転軸部材５６が長孔部５７の後端に位置するように形成されている（図３（ａ）に示す状態の場合）。ここで、回転軸部材５６が本発明の回動支持部に相当し、長孔部５７が本発明の昇降ガイド部に相当する。
【００３９】
また、それぞれの支持金具５５には、内側に向かって直角に折曲げ形成された前側当接片５８、後側当接片５９、及びストッパー片６０（図４（ａ）参照）が設けられている。前側当接片５８及び後側当接片５９は、棚部材３１の回動を規制するものであり、垂直の板状形状を呈し、回転軸部材５６よりも下側に配置されている。また、前側当接片５８及び後側当接片５９の間隔は、棚部材３１におけるフレーム５１の厚みよりもわずかに大きくなっており、前側当接片５８及び後側当接片５９の間に棚部材３１を立設状態で挿入させることが可能になっている。また、ストッパー片６０は、棚部材３１が展開状態の場合（図３（ａ）参照）に、後方に移動することを規制するものであり、板状形状を呈し、回転軸部材５６よりも後方で回転軸部材５６と略同じ高さに配置されている。ここで、前側当接片５８及び後側当接片５９が本発明の当接片及び回動規制部に相当する。
【００４０】
次に、下部籠部２１について説明する。図２に示すように、下部籠部２１は、四本の支柱１４に固定された前面部材３６、背面部材３７、及び一対の側面部材３８と、これらで
囲まれた下側収容空間３３の底面を閉鎖する底面部材３９とを備えており、上面のみが開放されている。つまり、下部籠部２１は、足場３においても地上においても中央空間部２２を通して、被搬送物を出し入れするようになっている。
【００４１】
次に、本実施形態の搬送用容器１の使用方法及び作用について、図３及び図４に基づき説明する。収容される被搬送物が、上側収容空間３２（図２参照）または下側収容空間３３に収容可能な場合には、図３（ａ）または図４（ａ）に示すように、棚部材３１を使用位置（展開状態）とする。これによれば、棚部材３１は、前側が前側支持部５３によって支持され、後側が後側支持部５４によって支持されることで、水平状態に保たれる。したがって、被搬送物を数多く搬送する場合、または多種類の被搬送物をまとめて搬送する場合であっても、上部籠部２０及び下部籠部２１に振り分けることで、整った状態で搬送することができるとともに、必要な被搬送物を速やかに取出すことが可能になる。
【００４２】
一方、足場３の踏み板など長尺の被搬送物を搬送する際に、上側収容空間３２または下側収容空間３３では収まりきらない場合には、水平方向に横架された棚部材３１（使用位置の棚部材３１）を格納位置に格納する。具体的には、まず、図４（ａ）の矢印に示すように、棚部材３１を後側に跳ね上げるように操作する。すると、棚部材３１は回転軸部材５６を中心に跳上位置に向かって回動する。図４（ｂ）に示すように、棚部材３１が跳上位置に達すると、棚部材３１は上側収容空間３２の後部側で立設した状態となる。さらに詳しく説明すると、棚部材３１を使用位置から跳上位置に向かって回動させると、棚部材３１のフレーム５１に形成された横長の長孔部５７も回転軸部材５６を中心に旋回し、跳上位置では、回転軸部材５６が、長孔部５７の下端部に位置する。したがって、長孔部５７の上端（使用位置では前端）が回転軸部材５６に当接するまで、棚部材３１を下方に移動させることが可能になる。つまり、回転軸部材５６と長孔部５７との協働により、棚部材３１は、その自重によって、跳上位置から、下方の格納位置に自然に落とし込まれる。図４（ｃ）に示すように、棚部材３１が格納位置に達すると、長孔部５７の上端が回転軸部材５６に当接し、棚部材３１をそれ以上降下させることができなくなる。つまり、棚部材３１における垂直方向の移動が規制される。また、格納位置では、前側当接片５８及び後側当接片５９によって棚部材３１の回動が規制され、棚部材３１は立設した状態で保持される。
【００４３】
一方、格納された棚部材３１を使用（展開）する場合には、立設された棚部材３１を格納位置（図４（ｃ）参照）から跳上位置（図４（ｂ）参照）まで持ち上げる。すると、棚部材３１は前側当接片５８による規制を受けなくなり、使用位置に向かって前側に回動させることが可能になる。そして、使用位置に達すると、前述したように水平方向に横架され、棚部材３１の上に被搬送物を載置することが可能となる。
【００４４】
このように、本実施形態の搬送用容器１によれば、棚部材３１を格納する場合には、跳ね上げた棚部材３１を自重によって格納位置に落とし込むだけで、棚部材３１の回動が規制されるため、作業者の手を煩わせることなく、また、操作し忘れることなく、棚部材３１を立設状態で保持することができる。特に、格納位置に格納された棚部材３１は、跳上位置まで持ち上げなければ回動しないため、被搬送物を出し入れする際に被搬送物が棚部材３１に引っ掛かっても、棚部材３１の転倒を確実に防止することができる。また、棚部材３１を使用する場合には、棚部材３１を持ち上げるだけで回動可能となるため、極めて簡単な操作で保持状態を解除することができ、作業者の負担を大幅に軽減できる。
【００４５】
また、本実施形態の搬送用容器１によれば、回転軸部材５６が挿入される長孔部５７によって棚部材３１が垂直方向に案内され、また、回転軸部材５６が設けられた支持金具５５によって棚部材３１の回動が規制されるため、極めてシンプルな構成となり、安価に製造することができる。また、前側当接片５８によって前方への回動を規制するだけでなく、後側当接片５９によって後方への回動も規制するため、格納位置における棚部材３１のガタツキを防止することができる。
【００４６】
また、本実施形態の搬送用容器１によれば、支持金具５５にストッパー片６０が形成され、棚部材３１の後面に当接するようになっているため、棚部材３１が使用位置から後方へ移動すること、すなわち前後方向に動くことを防止でき、ひいては被搬送物を棚部材３１上に安定して載置させることが可能となる。
【００４７】
さらに、本実施形態の搬送用容器１によれば、容器本体１３には、前面の開口部２５に加え、右側面にも右側開口部２６が形成されているため、足場３または地上において、搬送用容器１を旋回させることなく被搬送物を出し入れすることができ、作業性及び安全性を高めることができる。また、右側開口部２６が設けられた面は、容器本体１３の背面側ではないため、棚部材３１が格納位置に格納された場合でも、右側開口部２６を開放させ被搬送物を出し入れすることが可能である。また、棚部材３１を、前面側の開口部２５（足場３において被搬送物を出し入れする開口部）の反対側（奥側）に格納することから、棚部材３１を格納した状態においても、開口部２５の間口を狭めることがなく、ひいては足場３において幅広の被搬送物を出し入れする場合でも、作業者の手が棚部材３１に引っ掛からず、円滑に作業を行うことが可能となる。
【００４８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４９】
すなわち、上記実施形態では、支持金具５５に回転軸部材５６を設け、棚部材３１のフレーム５１に長孔部５７を形成するものを示したが、棚部材側に回転軸部材を設け、支持金具側に長孔部を形成してもよい。この場合、支持金具の長孔部は、使用位置の際、回転軸部材の下方に延出された状態となるが、棚部材を前側当接片５８によって支持することで、回転軸部材５６が長孔部に案内されて下方へ移動すること（すなわち棚部材の後部側が落下すること）が防止される。
【符号の説明】
【００５０】
１  搬送用容器
１３  容器本体
２５  開口部
２６  右側開口部（側面側開口部）
３１  棚部材
５５  支持金具
５６  回転軸部材（回動支持部）
５７  長孔部（昇降ガイド部）
５８  前側当接片（当接片，回動規制部）
５９  後側当接片（当接片，回動規制部）
６０  ストッパー片
Ｓ  収容空間
【先行技術文献】
【特許文献】
【００５１】
【特許文献１】特許４３９７４３１号
【図１】
2013060778.tif 000003
【図２】
2013060778.tif 000004
【図３】
2013060778.tif 000005
【図４】
2013060778.tif 000006